(57)【要約】【課題】短時間で広範囲に亘って液体微粒子を拡散させることができる液体噴霧装置を提供する。【解決手段】液体噴霧装置によれば、噴霧ヘッド５０に設けられた複数のノズルユニット５３のそれぞれから液体微粒子Ｓ２を広範囲に亘って噴霧することができるので、短時間で広範囲に亘って液体微粒子Ｓ２を拡散させることができる。【選択図】図１
2008023453.tif 000002
【特許請求の範囲】
【請求項１】
蒸気生成用の第１液体を収容する第１タンクと、第１タンク内に一端が挿入され、第１液体が流通する第１液体用管路と、第１液体用管路の他端に接続され、第１液体を加熱して蒸気を生成する気化器と、噴霧用の第２液体を収容する第２タンクと、第２タンク内に一端が挿入され、第２液体が流通する第２液体用管路とを備えた液体噴霧装置において、
気化器において生成した蒸気を噴出する第１ノズルと、第２液体用管路の他端に固定された第２ノズルとから構成され、第１ノズルから噴出される蒸気によって第２ノズルを通じて第２液体を吸引し霧化する複数のノズルユニットと、
各ノズルユニットを霧化された第２液体が所定方向に拡散するように設けた噴霧ヘッドとを備えた
ことを特徴とする液体噴霧装置。
【請求項２】
前記噴霧ヘッドを所定角度回転させる回転機構を備えた
ことを特徴とする請求項１記載の液体噴霧装置。
【請求項３】
前記各第１ノズルを所定の直線上に互いに間隔をおいて設けた
ことを特徴とする請求項１または２記載の液体噴霧装置。
【請求項４】
前記各第１ノズルを所定の円周上に互いに間隔をおいて設けた
ことを特徴とする請求項１または２記載の液体噴霧装置。
【請求項５】
前記噴霧ヘッドに、流体を噴出する拡散用ノズルを設けた
ことを特徴とする請求項１乃至４の何れか一項記載の液体噴霧装置。
【請求項６】
前記流体を気化器において生成した蒸気とした
ことを特徴とする請求項５記載の液体噴霧装置。
【請求項７】
前記各第１ノズルと、少なくとも１つの拡散用ノズルとを所定の直線上に互いに間隔をおいて設けた
ことを特徴とする請求項５または６記載の液体噴霧装置。
【請求項８】
前記各第１ノズルと、少なくとも１つの拡散用ノズルとを所定の円周上に互いに間隔をおいて設けた
ことを特徴とする請求項５または６記載の液体噴霧装置。
【請求項９】
前記拡散用ノズルを中心に、各第１ノズルを所定の円周上に互いに間隔をおいて設けた
ことを特徴とする請求項５または６記載の液体噴霧装置。
【請求項１０】
前記拡散用ノズルから噴出する流体の噴出速度を、ノズルユニットにおいて霧化された第２液体の噴霧速度よりも速くなるように設定した
ことを特徴とする請求項５乃至９の何れか一項記載の液体噴霧装置。
【請求項１１】
前記拡散用ノズルから噴出する流体の噴出速度を、６８０ｍ／秒以上に設定した
ことを特徴とする請求項５乃至１０の何れか一項記載の液体噴霧装置。
【発明の詳細な説明】
【技術分野】
【０００１】
本発明は、蒸気を利用して所望の液体を霧化して放出する液体噴霧装置に関する。
【背景技術】
【０００２】
従来、例えば消臭や消毒等の液体薬剤の液体微粒子を空気中に霧化して放出する液体噴霧装置が知られている（例えば、特許文献１）。このような液体噴霧装置は二流体噴霧装置と称されるもので、水等の気化液を収容した第１タンクと、気化液を加熱して蒸気を生成する気化器と、気化器に接続され、蒸気を噴出する第１ノズルと、消臭液、消毒液等の噴霧液を収容した第２タンクと、噴霧液を吸い上げる噴霧液用管路と、噴霧液用管路の他端に接続された第２ノズルとから構成されている。
【０００３】
このように構成された液体噴霧装置は、気化器内において気化液を加熱した後、生成した蒸気を第１ノズルの先端から噴出する。第１ノズルの先端から噴出された蒸気によって第２ノズルの先端周辺に負圧が生じ、この負圧を利用して第２タンク内の噴霧液が第２ノズルの先端に吸い上げられる。そして、第２ノズルの先端に吸い上げられた噴霧液が第１ノズルの先端から噴出した蒸気と衝突することにより液体微粒子が生成され、この液体微粒子が前方へと噴霧される。
【特許文献１】実開平４−９９２４９号公報
【発明の開示】
【発明が解決しようとする課題】
【０００４】
しかしながら、前記液体噴霧装置では、第１ノズルの先端から一方向に向かってのみ液体微粒子が噴霧されるので、例えば工場や宴会場等の広い空間を有する場所において液体微粒子を噴霧した場合には、液体微粒子を空間全体に拡散するのに時間を要したり、液体微粒子を空間の隅々にまで拡散できないおそれがあった。
【０００５】
本発明は、上記事情に鑑みてなされたものであり、その目的とするところは、短時間で広範囲に亘って液体微粒子を拡散させることができる液体噴霧装置を提供することにある。
【課題を解決するための手段】
【０００６】
上記目的を達成するために、請求項１に記載の液体噴霧装置は、蒸気生成用の第１液体を収容する第１タンクと、第１タンク内に一端が挿入され、第１液体が流通する第１液体用管路と、第１液体用管路の他端に接続され、第１液体を加熱して蒸気を生成する気化器と、噴霧用の第２液体を収容する第２タンクと、第２タンク内に一端が挿入され、第２液体が流通する第２液体用管路とを備えた液体噴霧装置において、気化器において生成した蒸気を噴出する第１ノズルと、第２液体用管路の他端に固定された第２ノズルとから構成され、第１ノズルから噴出される蒸気によって第２ノズルを通じて第２液体を吸引し霧化する複数のノズルユニットと、各ノズルユニットを霧化された第２液体を所定方向に拡散するように設けた噴霧ヘッドとを備えた構成となっている。
【０００７】
請求項１の発明によれば、噴霧ヘッドに設けられた複数のノズルユニットのそれぞれから、所定方向に拡散するように霧化された第２液体（液体微粒子）が噴霧されるので、液体微粒子が広範囲に亘って噴霧される。
【発明の効果】
【０００８】
本発明の液体噴霧装置によれば、噴霧ヘッドに設けられた複数のノズルユニットのそれぞれから液体微粒子を広範囲に亘って噴霧することができるので、短時間で広範囲に亘って液体微粒子を拡散させることができる。
【発明を実施するための最良の形態】
【０００９】
図１乃至図３は本発明の第１実施形態を示すもので、図１は液体噴霧装置の全体概略図、図２は気化器、回転機構及び噴霧ヘッドの概略側面断面図、図３は噴霧ヘッドの概略正面図を示す。
【００１０】
この液体噴霧装置は、図１に示すように、第１タンク１０と、気化器２０と、第２タンク３０と、回転機構４０と、噴霧ヘッド５０とから構成されている。
【００１１】
第１タンク１０は水等の第１液体１１を収容し、第１液体１１が流通する第１液体用管路としての第１管路１２を備えている。第１管路１２の一端は第１タンク１０内に挿入され、他端は気化器２０に接続されている。また、第１管路１２には、第１タンク１０内から気化器２０に向かって第１液体１１を送り込むための第１ポンプ１３とが設けられている。
【００１２】
気化器２０は第１液体１１を加熱して蒸気Ｓ１を生成するものであり、図２に示すように、金属製のハウジング２１と、ハウジング２１の内部である気化室２２と、第１管路１２の他端が接続された第１液体１１の導入口２３とから構成されている。ハウジング２１にはフラット状の加熱ヒータ２６が組み込まれ、この加熱ヒータ２６に通電することにより気化室２２内の第１液体１１が加熱される。また、ハウジング２１の好適部位には、例えばサーミスタ等の温度センサ２７が配置され、この温度センサ２７の検出した気化室２２内の温度に基づいて気化室２２内を加熱するようになっている。気化室２２内には金属焼結体等を利用した気化素子２８が充填され、この気化素子２８によって、第１管路１２から気化室２２内に導入された第１液体１１の気化が促進される。
【００１３】
第２タンク３０は消臭液や消毒液等の第２液体３１を収容するもので、第２液体３１が流通する第２液体用管路としての第２管路３２を備えている。第２管路３２はシリコン等のフレキシブルな材料から形成され、一端が第２タンク３０内に挿入されると共に、他端が小径の金属管である第２ノズル３３と接続及び連通している。第２ノズル３３は、第２管路３２の他端に確実に固定され、第１ノズル５２と共にノズルホルダ３５によって直交向きに保持されている。
【００１４】
回転機構４０は、図２に示すように、第１回転用アダプタ４１及び第２回転用アダプタ４２から構成され、各回転アダプタ４１，４２の間に後述するＯリング４３を挟み込んだ状態で、第２回転用アダプタ４２の内側に第１回転用アダプタ４１の他端側を挿入することにより形成されている。このように形成された回転機構４０は、第１回転用アダプタ４１を軸として、第２回転用アダプタ４２が噴霧ヘッド５０と共に回転可能となっている。
【００１５】
第１回転用アダプタ４１は、気化器２０において生成された蒸気Ｓ１が流通するように貫通し、外周中央に第１フランジ部４４が形成されている。また、第１回転用アダプタ４１は、一端側が気化器２０に接続され、他端側が第２回転用アダプタ４２内に挿入して接続されている。さらに、第１回転用アダプタ４１の他端側には、Ｏリング４３を嵌め込むＯリング溝４５が形成され、このＯリング溝４５にＯリング４３が嵌め込まれる。第１回転用アダプタ４１に嵌め込まれたＯリング４３が第２回転用アダプタ４２の内周面に密着することにより、気化器２０において生成した蒸気Ｓ１が各回転アダプタ４１，４２の間から漏洩することを防止する。
【００１６】
第２回転用アダプタ４２は、気化器２０において生成された蒸気Ｓ１が流通するように貫通し、一端側に第２フランジ部４６が形成されている。また、第２回転用アダプタ４２は、一端側が第１回転用アダプタ４１に接続され、他端側が噴霧ヘッド５０に接続されている。さらに、第２回転用アダプタ４２の第２フランジ部４６は、第１回転用アダプタ４１の第１フランジ部４４と共に、固定リング４７によって覆われている。
【００１７】
噴霧ヘッド５０は上下方向に細長い長方形の形状であり、第２回転用アダプタ４２の他端側に接続されたヘッダ本体５１と、第１ノズル５２及び第２ノズル３３から構成された複数のノズルユニット５３と、から構成されている。また、噴霧ヘッド５０の内部には、気化器２０において生成された蒸気Ｓ１が流通する蒸気流通路５４が形成されている。
【００１８】
ノズルユニット５３は、ヘッダ本体５１に複数設けられた突出部５５のそれぞれに嵌め込んで固定された第１ノズル５２と、第１ノズル５２と同じ数の第２ノズル３３とから構成されている。ノズルユニット５３が第２ノズル３３を複数備えていることにより、液体噴霧装置は、第２ノズル３３と同じ数のノズルホルダ３５、第２管路３２及び第２タンク３０を備えている。また、各第１ノズル５２は、図３に示すように、液体微粒子Ｓ２が所定方向に拡散するように、所定の直線上に互いに間隔をおいて設けられている。
【００１９】
蒸気流通路５４は、各突出部５５に固定された第１ノズル５２のそれぞれに通じるように複数に分岐している。この蒸気流通路５４に蒸気Ｓ１が流通することにより、各第１ノズル５２から蒸気Ｓ１が噴出される。
【００２０】
以上のように構成された液体噴霧装置の作用について説明する。
【００２１】
まず、ノズルユニット５３から噴霧される液体微粒子Ｓ２が所望の方向に噴霧可能となるように、噴霧ヘッド５０を回転機構４０の第２回転用アダプタ４２と共に、噴霧ヘッド５０の鉛直な軸方向に所定角度（０°以上１８０°未満）回転させ、ノズルユニット５３の位置を調節する。このとき、第２管路３２はフレキシブルな材料から形成されているので、第２ノズル３３の動きに伴う。
【００２２】
次に、液体噴霧装置は、図示しない起動スイッチがオンされた場合には加熱ヒータ２６に通電する。そして、温度センサ２７によって気化室２２内の温度を検出し、この温度が所定の設定温度に至っている場合には第１ポンプ１３に通電する。第１ポンプ１３に通電することによって、第１タンク１０内から気化器２０に向かって第１液体１１が吸い上げられ、気化器２０内に供給される。気化室２２内において加熱された第１液体１１は蒸気Ｓ１となり、この蒸気Ｓ１が回転機構４０内及び噴霧ヘッド５０の蒸気流通路５４を流通し、各第１ノズル５２から噴出される。このとき、各第１ノズル５２の先端から噴出された蒸気Ｓ１によって、各第２ノズル３３の先端周辺に負圧が生じ、この負圧を利用して各第２タンク３０内の第２液体３１が各第２ノズル３３の先端に吸い上げられる。そして、各第２ノズル３３の先端に吸い上げられた第２液体３１と蒸気Ｓ１とが衝突して霧化されることにより液体微粒子Ｓ２が生成され、この液体微粒子Ｓ２が前方へと噴霧される。
【００２３】
このように、本実施形態の液体噴霧装置によれば、噴霧ヘッド５０に設けられた複数のノズルユニット５３のそれぞれから液体微粒子Ｓ２を広範囲に亘って噴霧することができるので、短時間で広範囲に亘って液体微粒子Ｓ２を拡散させることができる。
【００２４】
また、本実施形態に係る液体噴霧装置によれば、回転機構４０によってノズルユニット５３の位置を調節することができるので、液体微粒子Ｓ２を所望の位置から広範囲に亘って噴霧することができるので、一層短時間で広い空間の隅々にまで液体微粒子Ｓ２を拡散させることができる。
【００２５】
図４乃至図６は本発明の第２実施形態を示すもので、図４は液体噴霧装置の全体概略図、図５は噴霧ヘッドの概略正面図、図６は液体噴霧装置の噴霧時間に対する噴霧拡散イオン相対値の関係を示す図である。尚、前記第１実施形態と同一構成部分は同一符号をもって表し、その説明を省略する。
【００２６】
図４乃至図６に示す液体噴霧装置は、噴霧ヘッド５０に拡散用ノズル６０を備えた点で図１乃至図３で示した液体噴霧装置と異なる。
【００２７】
拡散用ノズル６０は単孔型であり、気化器２０において生成された蒸気Ｓ１を噴出する。また、拡散用ノズル６０は、噴霧ヘッド５０の突出部５５の少なくとも１カ所以上に嵌め込まれている。この拡散用ノズル６０は、内径、長さ又は先端形状を適宜選択することにより、拡散用ノズル６０から噴出する蒸気Ｓ１を所望の噴出速度Ｖ１によって噴出させることが可能である。例えば拡散用ノズル６０の内径を小さくすることによって、拡散用ノズル６０から噴出する蒸気Ｓ１の噴出速度Ｖ１を大きくすることができる。また、各第１ノズル５２と拡散用ノズル６０は、図５に示すように、液体微粒子Ｓ２が所定方向に拡散して噴霧するように、所定の直線上に互いに間隔をおいて設けている。尚、拡散用ノズル６０から噴出する蒸気Ｓ１の噴出速度Ｖ１は、ノズルユニット５３から噴霧される液体微粒子Ｓ２の噴霧速度Ｖ２よりも速くなるように設定されている。
【００２８】
以上のように構成された液体噴霧装置の作用について説明する。
【００２９】
まず、ノズルユニット５３から噴霧される液体微粒子Ｓ２と、拡散用ノズル６０から噴出する蒸気Ｓ１とが所望の方向に噴霧可能となるように、噴霧ヘッド５０を回転機構４０の第２回転用アダプタ４２と共に、噴霧ヘッド５０の鉛直な軸方向に所定角度（０°以上１８０°未満）回転させ、ノズルユニット５３の位置を調節する。このとき、第２管路３２はフレキシブルな材料から形成されているので、第２ノズル３３の動きに伴う。
【００３０】
次に、液体噴霧装置は、起動スイッチがオンされた場合には加熱ヒータ２６に通電する。そして、温度センサ２７によって気化室２２内の温度を検出し、この温度が所定の設定温度に至っている場合には、第１ポンプ１３に通電する。第１ポンプ１３に通電することによって、第１タンク１０内から気化器２０に向かって第１液体１１が吸い上げられ、気化器２０内に供給される。そして、気化室２２内において加熱された第１液体１１は蒸気Ｓ１となり、この蒸気Ｓ１が回転機構４０内及び噴霧ヘッド５０の蒸気流通路５４を流通し、各第１ノズル５２及び拡散用ノズル６０から噴出される。このとき、各第１ノズル５２の先端から噴出された蒸気Ｓ１によって、各第２ノズル３３の先端周辺に負圧が生じ、この負圧を利用して各第２タンク３０内の第２液体３１が各第２ノズル３３の先端に吸い上げられる。そして、各第２ノズル３３の先端に吸い上げられた第２液体３１と蒸気Ｓ１とが衝突して霧化されることにより液体微粒子Ｓ２が生成され、この液体微粒子Ｓ２が拡散用ノズル６０から噴出された蒸気Ｓ１と共に前方へと噴霧される。
【００３１】
ここで、液体噴霧装置の液体微粒子Ｓ２の噴霧時間に対する噴霧拡散イオン相対値との関係について比較し、図６を参照して説明する。尚、拡散用ノズル６０の効果を比較するために、拡散用ノズル６０を有する場合（噴出速度Ｖ１＝７３３ｍ／秒、Ｖ１＝６１０ｍ／秒）と有さない場合について測定を行った。また、噴霧拡散イオン相対値は、拡散用ノズル６０から直線距離にして４０ｍ離れた地点において、絶対温度３００Ｋ、１気圧の条件下測定した。
【００３２】
まず、拡散用ノズル６０の有無による噴霧拡散イオン相対値について検討する。図６に示すように、拡散用ノズル６０を有する場合の噴霧拡散イオン相対値は、拡散用ノズル６０を有さない場合の噴霧拡散イオン相対値に比べて高い値を示すことが分かった。特に、拡散用ノズル６０を有する場合は、噴霧開始から５分経過した時点ですでに、拡散用ノズル６０を有さない場合に比べて高い噴霧拡散イオン相対値を示した。つまり、拡散用ノズル６０を有する場合は、拡散用ノズル６０から噴出する蒸気Ｓ１によって、短時間で広い空間の隅々にまで液体微粒子Ｓ２が拡散することが分かった。
【００３３】
次に、拡散用ノズル６０から噴出する蒸気Ｓ１の噴出速度Ｖ１について検討する。図６に示すように、噴出速度Ｖ１が７３３ｍ／秒の場合は、噴出速度Ｖ１が６１０ｍ／秒の場合に比べて高い噴霧拡散イオン相対値を示すことが分かった。つまり、噴出速度Ｖ１を上昇させることによって、一層短時間で広い空間の隅々にまで液体微粒子Ｓ２が拡散することが分かった。これにより、拡散用ノズル６０から噴出する蒸気Ｓ１の噴出速度Ｖ１は、６８０ｍ／秒以上であることが好ましく、より好ましくは７００ｍ／秒以上である。
【００３４】
このように、本実施形態の液体噴霧装置によれば、拡散用ノズル６０を有することにより、拡散用ノズル６０から噴出する蒸気Ｓ１と共に液体微粒子Ｓ２を短時間で広い空間の隅々にまで拡散させることができる。尚、この液体噴霧装置のその他の作用及び効果は、前記第１実施形態で示した液体噴霧装置と同様である。
【００３５】
図７及び図８は本発明の第３実施形態を示すもので、図７は液体噴霧装置の全体概略図、図８は気化器、回転機構及び噴霧ヘッドの概略側面断面図である。尚、前記第１実施形態と同一構成部分は同一符号をもって表し、その説明を省略する。
【００３６】
図７及び図８に示す液体噴霧装置は、単数の第２タンク３０と複数の第２ノズル３３を備えている点で図１乃至図３で示した液体噴霧装置と異なる。
【００３７】
第２タンク３０は、第２液体３１が流通する第２液体用管路としての第３管路６１を備えている。この第３管路６１は、シリコン等のフレキシブルな材料から形成されている。また、第３管路６１の一端は第２タンク３０内に挿入され、他端側は回転機構４０の第１回転用アダプタ４１内に挿入され、蒸気Ｓ１の流路とは異なる第２液体３１の流路として、回転機構４０から噴霧ヘッド５０に向かって延在している。噴霧ヘッド５０内に延在された第３管路６１は、各突出部５５に固定された各第１ノズル５２の下方に通じるように複数に分岐している。分岐した第３管路６１の他端側のぞれぞれには、小径の金属管である第２ノズル３３が接続及び連通している。第２ノズル３３は、第３管路６１の他端に確実に固定され、第１ノズル５２と共にノズルホルダ３５によって直交向きに保持されている。
【００３８】
以上のように構成された液体噴霧装置の作用は、前記第１実施形態と同様なので、その説明を省略する。
【００３９】
このように、本実施形態の液体噴霧装置によれば、単数の第２タンク３０と複数の第２ノズル３３を備えることにより、部品コストを低減させることができると共に、回転機構４０によって噴霧ヘッド５０を回転させた際に第３管路６１が絡むことを防止できるので、操作性を向上させることができる。また、第３管路６１を回転機構４０及び噴霧ヘッド５０内に組み込むことにより、液体噴霧装置全体を小型化することができる。尚、この液体噴霧装置のその他の効果は、前記第１実施形態で示した液体噴霧装置と同様である。
【００４０】
尚、前記第１実施形態乃至第３実施形態において、液体噴霧装置は、液体微粒子Ｓ２を噴霧する前に噴霧ヘッド５０を回転してノズルユニット５３の位置を調節していたが、これに限られない。例えば、液体微粒子Ｓ２の噴霧中に噴霧ヘッド５０を手動で任意の位置に回転させたり、電動モータの駆動により連続的に回転させたりすることにより、ノズルユニット５３の位置を調節しても良い。これにより、液体微粒子Ｓ２の噴霧中においても液体微粒子Ｓ２を所望の方向に切り替えて噴霧させることができるので、確実に短時間で広い空間の隅々にまで液体微粒子Ｓ２を拡散させることができる。
【００４１】
また、前記第１実施形態乃至第３実施形態において、液体噴霧装置は、ノズルユニット５３の液体微粒子Ｓ２の噴霧方向を様々な方向になるように設定しても良い。これにより、多方向に液体微粒子Ｓ２を噴霧することができるので、一層短時間で広範囲に亘って液体微粒子Ｓ２を噴霧できる。
【００４２】
さらに、前記第１実施形態乃至第３実施形態において、ノズルユニット５３は、第１回転用アダプタ４１、第２回転用アダプタ４２及びＯリングによる回転機構は着脱構造を用いても良い。
【００４３】
また、前記第２実施形態において、液体噴霧装置は、各第１ノズル５２及び拡散用ノズル６０を、所定の直線上に互いに間隔をおいて設けたが、液体微粒子Ｓ２を所定方向に拡散して噴霧できるのであれば、これに限られない。例えば、図９に示すように、液体噴霧装置は、各第１ノズル５２と複数の拡散用ノズル６０とを、所定の直線上に互いに間隔をおいて設けても良い。また、例えば、図１０に示すように、液体噴霧装置は、拡散用ノズル６０を中心に、各第１ノズル５２を所定の円周上に互いに間隔をおいて設けても良い。さらに、例えば、図１１に示すように、液体噴霧装置は、各第１ノズル５２と少なくとも１つの拡散用ノズル６０とを、所定の円周上に互いに間隔をおいて設けても良い。また、前記第１実施形態に係る液体噴霧装置の噴霧ヘッド５０も同様に、液体微粒子Ｓ２を所定方向に拡散して噴霧できるのであれば、図９乃至図１１に示す第１ノズル５２及び拡散用ノズル６０を全て第１ノズル５２に置き換えて設けた構造であっても良い。
【００４４】
さらに、前記第２実施形態において、液体噴霧装置は拡散用ノズル６０から蒸気Ｓ１が噴出するように構成したが、液体微粒子Ｓ２を所定方向に拡散させることが可能な流体であれば、これに限られない。例えば、拡散用ノズル６０から空気や不活性ガス（例えば、窒素や炭酸ガス等）が噴出するように液体噴霧装置を構成し、拡散用ノズル６０から空気が噴出するようにしても良い。
【００４５】
また、前記第２実施形態において、液体噴霧装置は単孔型の拡散用ノズル６０から蒸気Ｓ１が噴出していたが、これに限られない。例えば、多孔型の拡散用ノズルを噴霧ヘッド５０に設けることにより、多方向に蒸気Ｓ１を噴出させても良い。また、拡散用ノズル６０を蒸気Ｓ１の流れに旋回を与える形状のノズル、例えばスワノールノズルを用いても良い。
【図面の簡単な説明】
【００４６】
【図１】本発明の第１実施形態に係る液体噴霧装置の全体概略図
【図２】第１実施形態に係る気化器、回転機構及び噴霧ヘッドの概略側面断面図
【図３】第１実施形態に係る噴霧ヘッドの概略正面図
【図４】本発明の第２実施形態に係る液体噴霧装置の全体概略図
【図５】第２実施形態に係る噴霧ヘッドの概略正面図
【図６】第２実施形態に係る液体噴霧装置の噴霧時間に対する噴霧拡散イオン相対値の関係を示す図
【図７】本発明の第３実施形態に係る液体噴霧装置の全体概略図
【図８】第３実施形態に係る気化器、回転機構及び噴霧ヘッドの概略側面断面図
【図９】図５に示す噴霧ヘッドの変形例を示す概略正面図
【図１０】図５に示す噴霧ヘッドの変形例を示す概略正面図
【図１１】図５に示す噴霧ヘッドの変形例を示す概略正面図
【符号の説明】
【００４７】
１０…第１タンク、１１…第１液体、１２…第１管路、１３…第１ポンプ、２０…気化器、３０…第２タンク、３１…第２液体、３２…第２管路、３３…第２ノズル、４０…回転機構、４１…第１回転用アダプタ、４２…第２回転用アダプタ、５０…噴霧ヘッド、５１…ヘッダ本体、５２…第１ノズル、５３…ノズルユニット、５５…突出部、６０…拡散用ノズル、Ｓ１…蒸気、Ｓ２…液体微粒子。
【図１】
2008023453.tif 000003
【図２】
2008023453.tif 000004
【図３】
2008023453.tif 000005
【図４】
2008023453.tif 000006
【図５】
2008023453.tif 000007
【図６】
2008023453.tif 000008
【図７】
2008023453.tif 000009
【図８】
2008023453.tif 000010
【図９】
2008023453.tif 000011
【図１０】
2008023453.tif 000012
【図１１】
2008023453.tif 000013